(57)【特許請求の範囲】
【請求項１】
内部に定形内容物の収容に供する複数の収容室１１を形成した容器本体１を設け、該容器本体１にカバーキャップ２を摺動自在に装着し、また、上記各収容室１１の取出端１２乃至全部を上記定形内容物の整列収納可能に形成し、かつ、各取出端１２にはそれぞれ単位数取出口１３を開口させるとともに、これらの単位数取出口１３を上記カバーキャップ２で閉口させ、更に、該カバーキャップ２には摺動に伴いそれらの単位数取出口１３に開通する窓孔２１を穿設したことを特徴とする定形内容物の計量取出容器。
【請求項２】
内部に定形内容物の収容に供する複数の収容室１１を横一列に並設した箱形の容器本体１を設け、該容器本体１に箱形のカバーキャップ２を摺動自在に嵌合させ、該カバーキャップ２には伸出方向の付勢手段を講じ、また、上記各収容室１１の取出端１２を上記定形内容物の整列収納可能に形成し、かつ、各取出端１２にはそれぞれ上記容器本体１の周壁１４に開口する単位数取出口１３を設けるとともに、これらの単位数取出口１３を上記カバーキャップ２で閉口させ、更に、該カバーキャップ２には上記付勢手段に抗した押圧摺動に伴いそれらの単位数取出口１３に開通する窓孔２１を穿設したことを特徴とする定形内容物の計量取出容器。
【請求項３】
箱形扁平縦筒１ａの下端と上端を開閉自在な底蓋１ｃと皿状の上蓋１ｄで閉じ、かつ、内部に定形内容物の収容に供する複数の収容室１１を横一列に並設し、各収容室１１の上端に上記定形内容物の整列収納可能な取出端１２を設けるとともに、各取出端１２にそれぞれ上記容器本体１の周壁１４へ開口させた単位数取出口１３を設けて、箱形の容器本体１を形成し、該容器本体１には、箱形のカバーキャップ２を摺動自在に嵌合させ、該カバーキャップ２には、該カバーキャップ２を伸出方向へと付勢する蛇腹部材３を、基端３１を上記上蓋１ｃに支持させ、かつ、先端３２をカバーキャップ頂壁２５に連繋させて内装し、また、カバーキャップ周壁２２で上記各単位数取出口１３を閉口させ、更に、そのカバーキャップ周壁２２には、上記蛇腹部材３の付勢に抗した押圧摺動に伴いそれらの単位数取出口１３に開通する窓孔２１を穿設したことを特徴とする定形内容物の計量取出容器。
【請求項４】
内部に定形内容物の整列収容に供する複数の収容室１１を横一列に並設した箱形の容器本体１を設け、該容器本体１に箱形のカバーキャップ２を摺動自在に嵌合させ、該カバーキャップ２には伸出方向の付勢手段を講じ、また、上記各収容室１１の取出端１２にはそれぞれ上記容器本体１の周壁１４に開口する単位数取出口１３を設けるとともに、これらの単位数取出口１３を上記カバーキャップ２で閉口させ、更に、該カバーキャップ２には上記付勢手段に抗した押圧摺動に伴いそれらの単位数取出口１３に開通する窓孔２１を穿設したことを特徴とする定形内容物の計量取出容器。
【請求項５】
箱形有底扁平縦筒１ｂの上端を皿状の上蓋１ｄで閉じ、かつ、内部に定形内容物の整列収容に供する複数の収容室１１を横一列に並設し、各収容室１１の上端の各取出端１２にそれぞれ上記容器本体１の周壁１４へ開口させた単位数取出口１３を設けて、箱形の容器本体１を形成し、該容器本体１には、箱形のカバーキャップ２を摺動自在に嵌合させ、該カバーキャップ２には、該カバーキャップ２を伸出方向へと付勢する蛇腹部材３を、基端３１を上記上蓋１ｃに支持させ、かつ、先端３２をカバーキャップ頂壁２５に連繋させて内装し、また、カバーキャップ周壁２２で上記各単位数取出口１３を閉口させ、更に、そのカバーキャップ周壁２２には、上記蛇腹部材３の付勢に抗した押圧摺動に伴いそれらの単位数取出口１３に開通する窓孔２１を穿設したことを特徴とする定形内容物の計量取出容器。
【発明の詳細な説明】
【０００１】
【発明の属する技術分野】
本発明は、定形内容物の計量取出容器に関するものである。
ここに、定形内容物とは、錠剤、カプセル等をいう。
【０００２】
【従来の技術】
錠剤等を収容して、任意に取り出し得るようにした容器は、既に知られているが（実開平５‐５８６７５  号公報、実開平５‐５８６７６  号公報等）、異種又は同種の錠剤等を計量して取り出し得るようにしたものについては、未だ、適当なものが開発されていない。
【０００３】
【発明が解決しようとする課題】
そこで、本発明は、簡単な操作で、その操作の度に、収容した異種又は同種の錠剤等を容易に計量して取り出し得るようにした便利な計量取出容器を提供しようとするものである。
【０００４】
【課題を解決するための手段】
かかる目的達成のため、請求項１の発明は、内部に定形内容物の収容に供する複数の収容室１１を形成した容器本体１を設け、該容器本体１にカバーキャップ２を摺動自在に装着し、また、上記各収容室１１の取出端１２乃至全部を上記定形内容物の整列収納可能に形成し、かつ、各取出端１２にはそれぞれ単位数取出口１３を開口させるとともに、これらの単位数取出口１３を上記カバーキャップ２で閉口させ、更に、該カバーキャップ２には摺動に伴いそれらの単位数取出口１３に開通する窓孔２１を穿設して成る。
【０００５】
請求項２の発明は、内部に定形内容物の収容に供する複数の収容室１１を横一列に並設した箱形の容器本体１を設け、該容器本体１に箱形のカバーキャップ２を摺動自在に嵌合させ、該カバーキャップ２には伸出方向の付勢手段を講じ、また、上記各収容室１１の取出端１２を上記定形内容物の整列収納可能に形成し、かつ、各取出端１２にはそれぞれ上記容器本体１の周壁１４に開口する単位数取出口１３を設けるとともに、これらの単位数取出口１３を上記カバーキャップ２で閉口させ、更に、該カバーキャップ２には上記付勢手段に抗した押圧摺動に伴いそれらの単位数取出口１３に開通する窓孔２１を穿設して成る。
【０００６】
請求項３の発明は、箱形扁平縦筒１ａの下端と上端を開閉自在な底蓋１ｃと皿状の上蓋１ｄで閉じ、かつ、内部に定形内容物の収容に供する複数の収容室１１を横一列に並設し、各収容室１１の上端に上記定形内容物の整列収納可能な取出端１２を設けるとともに、各取出端１２にそれぞれ上記容器本体１の周壁１４へ開口させた単位数取出口１３を設けて、箱形の容器本体１を形成し、該容器本体１には、箱形のカバーキャップ２を摺動自在に嵌合させ、該カバーキャップ２には、該カバーキャップ２を伸出方向へと付勢する蛇腹部材３を、基端３１を上記上蓋１ｃに支持させ、かつ、先端３２をカバーキャップ頂壁２５に連繋させて内装し、また、カバーキャップ周壁２２で上記各単位数取出口１３を閉口させ、更に、そのカバーキャップ周壁２２には、上記蛇腹部材３の付勢に抗した押圧摺動に伴いそれらの単位数取出口１３に開通する窓孔２１を穿設して成る。
【０００７】
請求項４の発明は、内部に定形内容物の整列収容に供する複数の収容室１１を横一列に並設した箱形の容器本体１を設け、該容器本体１に箱形のカバーキャップ２を摺動自在に嵌合させ、該カバーキャップ２には伸出方向の付勢手段を講じ、また、上記各収容室１１の取出端１２にはそれぞれ上記容器本体１の周壁１４に開口する単位数取出口１３を設けるとともに、これらの単位数取出口１３を上記カバーキャップ２で閉口させ、更に、該カバーキャップ２には上記付勢手段に抗した押圧摺動に伴いそれらの単位数取出口１３に開通する窓孔２１を穿設して成る。
【０００８】
請求項５の発明は、箱形有底扁平縦筒１ｂの上端を皿状の上蓋１ｄで閉じ、かつ、内部に定形内容物の整列収容に供する複数の収容室１１を横一列に並設し、各収容室１１の上端の各取出端１２にそれぞれ上記容器本体１の周壁１４へ開口させた単位数取出口１３を設けて、箱形の容器本体１を形成し、該容器本体１には、箱形のカバーキャップ２を摺動自在に嵌合させ、該カバーキャップ２には、該カバーキャップ２を伸出方向へと付勢する蛇腹部材３を、基端３１を上記上蓋１ｃに支持させ、かつ、先端３２をカバーキャップ頂壁２５に連繋させて内装し、また、カバーキャップ周壁２２で上記各単位数取出口１３を閉口させ、更に、そのカバーキャップ周壁２２には、上記蛇腹部材３の付勢に抗した押圧摺動に伴いそれらの単位数取出口１３に開通する窓孔２１を穿設して成る。
【０００９】
【発明の実施の形態】
その１．
図１乃至図４は、請求項１乃至請求項３の発明に係る実施の形態を示している。
図１乃至図４において、１は、内部に定形内容物の収容に供する複数の収容室１１を形成した箱形の容器本体、２は、該容器本体に摺動自在に嵌合させた箱形のカバーキャップ、３は、該カバーキャップを伸出方向に付勢すべく該カバーキャップに内装した蛇腹部材であり、これらは、いずれも合成樹脂成形するものとする。
容器本体１は、箱形扁平縦筒１ａの下端を、開閉自在に嵌合させた底蓋１ｃで閉じ、また、上端を、当接させた皿状の上蓋１ｄで閉じており、内部にラグビーボール形の定形内容物（錠剤）の収容に供する３つの収容室１１を横一列に並設し、各収容室１１の上端に上記定形内容物を１個あて整列収納可能にした漏斗状の取出端１２を設けるとともに、各取出端１２にそれぞれ上記容器本体１の周壁１４へ開口させて上記定形内容物１個を１単位とする単位数取出口１３を設けている。なお、各単位数取出口１３は、ラグビーボール形の定形内容物（錠剤）を１個あて通過させるのに必要な大きさと形状のものとする。
カバーキャップ２は、周壁２２の内周を容器本体１の周壁１４の外周に適合させて箱形に形成して、容器本体１に上方から摺動昇降自在に嵌合させ、その上昇限と下降限を双方の周壁１４，２２間適所に形成した突子１５と案内溝２３との係合により得ている。
また、カバーキャップ２は、上昇限で周壁２２により容器本体１の上記各単位数取出口１３を閉口するようにし、かつ、その周壁２２の適所には、下降限でそれらの単位数取出口１３にそれぞれ開通させる窓孔２１を穿設しており、頂壁２５の内面中央に蛇腹部材３を連繋させる嵌合小筒２４を垂設している。
蛇腹部材３は、基端３１を大きく、先端３２を小さく形成して、その基端３１を容器本体１の上記上蓋１ｃに嵌合支持させ、先端３２をカバーキャップ２の上記嵌合小筒２４に嵌合連繋させてカバーキャップ２に内装し、その弾力により該カバーキャップ２を伸出方向、すなわち、上方へと付勢するようにしている。
【００１０】
如上の構成であるから、その使用に当たっては、容器本体１の底蓋１ｃを開閉して３つの各収容室１１にラグビーボール形の定形内容物（錠剤）を収容する。この場合、例えば、１つの収容室１１にはＡ剤を、また、他の２つの収容室１１にはＢ剤を収容する。
これらの定形内容物（錠剤）を取り出すときは、まず、図４に示すように、全体を倒立させる。この倒立によって、各収容室１１内の定形内容物（錠剤）が１つあて各取出端１２に納まる。
次に、その倒立姿勢のままで、容器本体１を蛇腹部材３の付勢に抗して押し下げる（このことはカバーキャップ２を蛇腹部材３の付勢に抗して摺動させることに通じる。）。容器本体１を十分に押し下げたところで各単位数取出口１３と各窓孔２１とが全開で開通し、各収容室１１内の各１個の定形内容物（錠剤）を取り出すことができる。したがって、１つの収容室１１にＡ剤を、他の２つの収容室１１にＢ剤を収容した場合には、１つのＡ剤と２つのＢ剤とを取り出すことができるのである。
その後、容器本体１の押し下げを放せば、蛇腹部材３の弾力で容器本体１が再び上昇し、元の状態に戻る。
【００１１】
なお、定形内容物としては、他の形状の錠剤であっても、或いは、カプセル等であってもよい。蛇腹部材３内の気密性を確保すれば、エアクッションも蛇腹部材３の弾力の一部として利用できる。蛇腹部材３に代えてコイルスプリングやゴム塊等の弾性部材を用いてもよい。容器本体１の皿状の上蓋１ｄに適宜に小孔を穿設して乾燥剤を収納してもよい。各収容室１１の取出端１２に複数個の定形内容物を収容できるようにするとともに、各単位数取出口１３をそれら複数を１単位とするものにして、複数あて取り出すことができるようにしてもよい。
【００１２】
その２．
図５乃至図８は、請求項１、請求項４及び請求項６の発明に係る実施の形態を示している。
図５乃至図８において、１は、内部に定形内容物の収容に供する複数の収容室１１を形成した箱形の容器本体、２は、該容器本体に摺動自在に嵌合させた箱形のカバーキャップ、３は、該カバーキャップを伸出方向に付勢すべく該カバーキャップに内装した蛇腹部材であり、これらは、いずれも合成樹脂成形するものとする。
容器本体１は、箱形有底扁平縦筒１ｂの上端を、当接させた皿状の上蓋１ｄで閉じ、内部に扁平で三角状の定形内容物（錠剤）を整列収容する３つの収容室１１を横一列に並設し、各収容室１１の上端の各取出端１２にそれぞれ上記容器本体１の周壁１４へ開口させて上記定形内容物１個を１単位とする単位数取出口１３を設けている。なお、各単位数取出口１３は、扁平で三角状の定形内容物（錠剤）を１個あて通過させるのに必要な大きさと形状のものとする。
カバーキャップ２は、周壁２２の内周を容器本体１の周壁１４の外周に適合させて箱形に形成して、容器本体１に上方から摺動昇降自在に嵌合させ、その上昇限と下降限を双方の周壁１４，２２間適所に形成した突子１５と案内溝２３との係合により得ている。
また、カバーキャップ２は、上昇限で周壁２２により容器本体１の上記各単位数取出口１３を閉口するようにし、かつ、その周壁２２の適所には、下降限でそれらの単位数取出口１３にそれぞれ開通させる窓孔２１を穿設しており、頂壁２５の内面中央に蛇腹部材３を連繋させる嵌合小筒２４を垂設している。ただし、図示例の場合には、窓孔２１を、１つの単位数取出口１３に対応させた小さなものと、他の２つの単位数取出口１３に対応させた大きなものとの２つとしている。
蛇腹部材３は、基端３１を大きく、先端３２を小さく形成して、その基端３１を容器本体１の上記上蓋１ｃに嵌合支持させ、先端３２をカバーキャップ２の上記嵌合小筒２４に嵌合連繋させてカバーキャップ２に内装し、その弾力により該カバーキャップ２を伸出方向、すなわち、上方へと付勢するようにしている。
【００１３】
如上の構成であるから、その使用に当たっては、容器本体１を一旦取り外して又は組み立て前において、３つの各収容室１１に扁平で三角状の定形内容物（錠剤）を積み重ねた状態にして整列収容する。この場合、例えば、１つの収容室１１にはＡ剤を、また、他の２つの収容室１１にはＢ剤を収容する。
これらの定形内容物（錠剤）を取り出すときは、まず、図８に示すように、全体を倒立させる。この倒立によって、各収容室１１内の定形内容物（錠剤）が１つあて各取出端１２に位置することとなる。
次に、その倒立姿勢のままで、容器本体１を蛇腹部材３の付勢に抗して押し下げる（このことはカバーキャップ２を蛇腹部材３の付勢に抗して摺動させることに通じる。）。容器本体１を十分に押し下げたところで各単位数取出口１３と各窓孔２１とが全開で開通し、各収容室１１内の各１個の定形内容物（錠剤）を取り出すことができる。したがって、１つの収容室１１にＡ剤を、他の２つの収容室１１にＢ剤を収容した場合には、１つのＡ剤と２つのＢ剤とを取り出すことができるのである。
その後、容器本体１の押し下げを放せば、蛇腹部材３の弾力で容器本体１が再び上昇し、元の状態に戻る。
【００１４】
なお、定形内容物としては、他の形状の錠剤であっても、或いは、カプセル等であってもよい。蛇腹部材３内の気密性を確保すれば、エアクッションも蛇腹部材３の弾力の一部として利用できる。蛇腹部材３に代えてコイルスプリングやゴム塊等の弾性部材を用いてもよい。容器本体１の皿状の上蓋１ｄに適宜に小孔を穿設して乾燥剤を収納してもよい。各収容室１１の取出端１２に複数個の定形内容物を収容できるようにするとともに、各単位数取出口１３をそれら複数を１単位とするものにして、複数あて取り出すことができるようにしてもよい。
【００１５】
【発明の効果】
請求項１、請求項２、請求項３、請求項４及び請求項５の発明によれば、記述構成であるから、倒立させて押し下げるという簡単な操作で、その度ごとに、各収容室１１に収容した異種又は同種の定形収容物を定量に計量して取り出すことができ、極めて便利重宝である。
また、構造並びに製作簡単で安価に提供できる。
【図面の簡単な説明】
【図１】請求項１、請求項２及び請求項３の発明に係る実施の形態を示す截断正面図である。
【図２】同実施の形態を示す平面図である。
【図３】同実施の形態の図２Ｘ−Ｘ線要部断面図である。
【図４】同実施の形態の使用状態を示す斜視図である。
【図５】請求項１、請求項４及び請求項５の発明に係る実施の形態を示す截断正面図である。
【図６】同実施の形態を示す平面図である。
【図７】同実施の形態の図６Ｘ−Ｘ線要部断面図である。
【図８】同実施の形態を示す斜視図である。
【符号の説明】
１…容器本体                    １ａ…箱形扁平縦筒
１ｂ…箱形有底扁平縦筒                        １ｃ…底蓋
１ｄ…上蓋
１１…収容室                                            １２…取出端
１３…単位数取出口                                １４…周壁
１５…突子
２…カバーキャップ              ２１…窓孔
２２…周壁                        ２３…案内溝
２４…嵌合小筒                    ２５…頂壁
３…蛇腹部材                    ３１…基端
３２…先端
Ａ…Ａ剤                        Ｂ…Ｂ剤
【図１】
0003549972.tif 000002
【図２】
0003549972.tif 000003
【図３】
0003549972.tif 000004
【図４】
0003549972.tif 000005
【図５】
0003549972.tif 000006
【図６】
0003549972.tif 000007
【図７】
0003549972.tif 000008
【図８】
0003549972.tif 000009